(57)【特許請求の範囲】
【請求項１】
バーコードやＩＣカードに記載の情報を読み取るハンデイタイプのポータブルターミナルにおいて、
このポータブルターミナルと外部機器とで光通信する通信手段を少なくとも２箇所以上に備え、
前記通信手段における、通信光を出射する送信部が１箇所のみ設けられ、
前記送信部の出射方向を適宜切り換えて各種の方向からの通信光を出射し、少なくとも２箇所以上設けられた受信部が入射するように構成したことを特徴とするポータブルターミナルの情報送信装置。
【請求項２】
前記送信部は、前記通信光の出射方向に対して左右の回動可能なケーシング内に設けられ、
前記ケーシングは、ピニオンに一体に固着され、
前記ピニオンは、操作ノブを取り付けたラックに噛合され、前記操作ノブを移動させることにより、移動可能に構成されていることを特徴とする請求項１記載のポータブルターミナルの情報送信装置。
【発明の詳細な説明】
【０００１】
【発明の属する技術分野】
この発明は、バーコードやＩＣカードに記載の情報を読み取るハンデイタイプのポータブルターミナルに係り、特にこの読み取った情報を赤外光で送信したり外部機器からの情報を受信することができるポータブルターミナルの情報送受信装置に関するものである。
【０００２】
【従来の技術】
例えば、バーコードリーダにあっては、バーコードに記載の情報を光学的に読み取ったのち、この読取り情報をホストコンピュータ側へ送信して商品在庫管理・商品流通管理等を行うＰＯＳシステム等が開発され使用されている。
【０００３】
このため、例えばハンデイタイプのバーコードリーダにあっては、接続コードを介して各コンピュータ等と接続され電気的に情報の送り出しを行う構成のものの他に、赤外光による光通信によって情報送信を行うものも開発され使用されている。
【０００４】
例えば、この光通信を行うために、ハンデイタイプのバーコードリーダにおいて本体の後部側にＬＥＤを設けこのＬＥＤから赤外光を出射させる構成のものが知られている。
【０００５】
【発明が解決しようとする課題】
しかしながら、通常このような構成のバーコードリーダにあっては、例えば前側にある通信相手との光通信を行う場合には、後部が前向きになるように向きを逆転させた状態に持ち替えるような方法で行っている。
【０００６】
しかしながら、このような通信方法にあっては、通信相手の設置位置に応じてバーコードリーダ本体を持ち替える等の面倒な操作を行う必要があったので、何度も情報通信を行う状況での使用の場合には、厄介で作業性の低下を招いている。このような事情は、外部機器との間で送信する場合に限らず、受信する場合でも同様であり、操作性の良好な送受信装置の開発が要望されている。
【０００７】
そこで、この発明は、上記した事情に鑑み、使用者が持ち替えて操作するといった面倒な操作が不要であって、操作性が大幅に向上するポータブルターミナルの情報送受信装置を提供することを目的とするものである。
【０００８】
【課題を解決するための手段】
即ち、この請求項１に記載の発明は、バーコードやＩＣカードに記載の情報を読み取るハンデイタイプのポータブルターミナルにおいて、このポータブルターミナルと外部機器とで光通信する通信手段を少なくとも２箇所以上に備え、これらの通信手段を適宜切り換えて各種の方向からの通信光を出射及び／又は入射するように構成したものである。
【０００９】
【発明の実施の形態】
以下、この発明の好適な実施例について添付図面を参照しながら説明する。
図１及び図２はこの発明に係るバーコードリーダの情報送受信装置を示すものであり、このポータブルターミナル本体１には、光学的読取手段である光源８及び受光部９（共に図２参照）の他に、このポータブルターミナルと外部機器（例えば、パソコン本体ＰＣやプリンタＰＲ）とで光通信する通信手段２を前後２箇所に備えた構成となっている。
【００１０】
通信手段２には、送信部２Ａ，２Ｂ及び受信部２Ｃ，２Ｄを本体１前後に備えており、これらの通信（送受信）には全て所定の近赤外光（特に、この波長のものに限定されるものではなく、各種波長のものが適用可能である）を使用している。
この実施例の送信部２Ａ，２Ｂには、ＬＥＤ（発光ダイオード）が使用されており、それぞれ後述する制御部３によって別個独立に作動できるようになっている。また、受信部２Ｃ，２Ｄには、外部機器から出射されるほぼ同等波長の近赤外光を受光して情報を受信するフォトダイオードが使用されており、制御部３を介してデータ格納部４へ格納するようになっている。
【００１１】
また、この実施例のバーコードリーダの情報送受信装置には、（バーコード読取動作を完了したのち）外部機器との送受信（通信）を行うときに送信動作を開始させるためのスタートスイッチ５と、前後の送信部２Ａ，２Ｂの動作切替えを行うための切替えスイッチ６とが設けられている。
【００１２】
従って、この実施例によれば、例えば図３において、光学的にバーコードを読み取らせたのち、その読み取った情報は受光部９から制御部３を介してデータ格納部４へ一旦取り込まれる。
その後、例えばこの読取情報をパソコンＰＣへ送りだす場合には、手で握ったバーコードリーダ本体１をパソコンＰＣの正面に向けて差し出すように向け、パソコンＰＣと正対させるとともに、切替えスイッチ６を前側へセットし、スタートスイッチ５をオンする。
【００１３】
これにより、所定の赤外光が前側ＬＥＤ２Ａから出射され、パソコン本体内部の受光部に入射する。これにより、例えば商品の販売情報等がホストコンピュータへ取り込まれる。
また、腰にぶら下げてあるプリンタＰＲで読取情報をハードコピーしたい場合には、手に握っているバーコードリーダ本体の後側送信部２Ｂから読み取り情報の送信を行う方が簡単であるから、バーコードリーダ本体１の後部がプリンタＰＲと正対するように位置を調整したならば、切替えスイッチ６を後側へセットし、スタートスイッチ５をオンする。これにより、プリンタＰＲへ読取情報が送信されるので、後はプリンタＰＲの操作スイッチをオンさせれば、自動的に読取情報のコピーが行える。
【００１４】
なお、この実施例では、前側と後側の送信部を独立別個に設け、これらの２者択一的に作動させる構成としてが、これらを同時に作動させ２箇所へ情報を同時に送信させる構成としてもよい。また、これらの送信部（受信部も同様）は、バーコードリーダ本体の前後に１箇所ずつ都合２箇所設けたが、３箇所以上設けてもよい。
【００１５】
また、この実施例の構成とは別に、例えば図４に示すように、１個の送信部（ＬＥＤ）７を左右の回動可能なケーシング７Ａ内に設け、このケーシング７Ａを図５に示すピニオン７Ｂに一体に固着し、このピニオン７Ｂを操作ノブ７Ｃを取り付けたラック７Ｄに噛合させる構成等としてもよい。これによれば、例えば前側（後側）から赤外光を出射させたいときには、操作ノブ７Ｃを前側（後側）へ移動させればよい。なお、この実施例では、バーコードリーダについて説明してきたが、このバーコードリーダ以外にも、例えばＩＣカードを読取り書き込みすることができるポータブルターミナルにも適用可能である。
【００１６】
【発明の効果】
以上説明してきたように、この発明によれば、バーコードやＩＣカードに記載の情報を読み取るハンデイタイプのポータブルターミナルにおいて、このポータブルターミナルと外部機器とで光通信する通信手段を少なくとも２箇所以上に備え、これらの通信手段を適宜切り換えて各種の方向からの通信光を出射及び／又は入射するように構成したので、使用者が持ち替えて操作するといった面倒な操作が不要であって、操作性が大幅に向上する効果が得られる。
【図面の簡単な説明】
【図１】この発明の情報送受信装置を設けたバーコードリーダを示す概略斜視図。
【図２】同内部の構成を示す説明図。
【図３】同装置の構成ブロック図。
【図４】同装置の変形例を示す説明図。
【図５】同装置の要部を示す説明図。
【符号の説明】
１    バーコードリーダ本体
２    通信手段
２Ａ，２Ｂ  （前側及び後側）送信部
２Ｃ，２Ｄ  （前側及び後側）受信部
３    制御部
ＰＣ  パソコン（外部機器）
ＰＲ  プリンタ（外部機器）
【図１】
0004108874.tif 000002
【図２】
0004108874.tif 000003
【図３】
0004108874.tif 000004
【図４】
0004108874.tif 000005
【図５】
0004108874.tif 000006